(57)【特許請求の範囲】
【請求項１】
ホワイトバランスを調整してある基準モニタを用意し、該基準モニタにＲ、Ｇ及びＢの各原色を黒に隣接させて表示し、各原色を単位に黒との境界線が判別できない最大画素値をそれぞれ基準バランス値に決定すると共に、
調整対象モニタに、前記基準バランス値に設定した各原色を黒に隣接させて表示し、各原色を単位に黒との境界線が判別できない最大輝度レベルに該モニタの各原色の輝度をそれぞれ調整することを特徴とするモニタ調整方法。
【請求項２】
請求項１において、
前記基準バランス値を決定する際、基準モニタに表示されている各原色の画素値を連続的に増減させ、黒との境界線が判別できない最大値を選択することを特徴とするモニタ調整方法。
【請求項３】
請求項１において、
前記基準バランス値を決定する際、各原色を画素値が段階的に増加する複数のチャートとして、それぞれに隣接させて表示し、黒との境界線が判別できないチャートの最大画素値を基準バランス値として選択することを特徴とするモニタ調整方法。
【請求項４】
請求項３において、
選択された最大画素値のチャートと１段上のチャートとの間に、更に細い画素値に分割して設定した１以上のチャートを、それぞれ黒に隣接させて表示し、黒との境界線が判別できないチャートの最大画素値を更に上の精度の基準バランス値として選択し、
必要に応じて同様の操作を繰り返すことを特徴とするモニタ調整方法。
【請求項５】
請求項１において、
前記対象モニタを調整する際、該モニタの各原色の輝度をそれぞれ連続的に増減させ、黒との境界線が判別できない最大輝度レベルに調整することを特徴とするモニタ調整方法。
【請求項６】
請求項１において、
前記対象モニタを調整する際、該モニタに各原色を前記基準バランス値を中心として画素値を段階的に変化させた複数のチャートとして、それぞれ黒に隣接させて表示し、
該モニタの各原色の輝度をそれぞれ連続的に増減させ、黒との境界線が、基準バランス値が設定されている基準チャートでは判別できず、該基準チャートより１段上の第１比較チャートでは判別できる第１の輝度レベルにそれぞれ調整することを特徴とするモニタ調整方法。
【請求項７】
請求項６において、
前記第１の輝度レベルに調整した後、前記基準チャートと第１比較チャートとの間に、更に細い段階の画素値に分割して設定した１以上のチャートを、それぞれ黒に隣接させて表示し、
前記対象モニタの各原色の輝度をそれぞれ連続的に増減させ、黒との境界線が、基準バランス値が設定されている基準チャートでは判別できず、
該基準チャートより１段上の第２比較チャートでは判別できる第２の輝度レベルにそれぞれ調整し、
必要に応じて同様の操作を繰り返すことを特徴とするモニタ調整方法。
【発明の詳細な説明】
【０００１】
【発明が属する技術分野】
本発明は、モニタ調整方法、特にインターネット等のマルチメディア分野や、製版、印刷、ＤＴＰ（Desktop Publishing）分野、その他モニタ上で色を扱う分野で使用するカラーモニタの色調整に適用して好適なモニタ調整方法に関する。
【０００２】
【従来の技術】
カラーモニタの色再現は、モニタ本体のＲ（赤）、Ｇ（緑）、Ｂ（青）の各原色の輝度によって決定されるが、その輝度のバランスはモニタ本体の機能、固体差によって異なるため、モニタへの入力信号が同じ大きさであってもモニタ間の色調を合わせるためには各モニタ毎に輝度を調整する必要がある。通常、この輝度をホワイトバランスという白色の色味で評価することが行われている。
【０００３】
カラーモニタのホワイトバランスを調整する従来の方法としては、（１）Ｒ、Ｇ、Ｂ、白及びグレー（Ｒ＋Ｇ＋Ｂ）等のカラーパッチを測定装置で実際に測定して調整する方法、（２）Ｒ、Ｇ、Ｂ、白及びグレー（Ｒ＋Ｇ＋Ｂ）等のカラーパッチや自然画像を表示して、主観的に調整する方法、（３）別に用意されている印刷されたカラーパッチや自然画像を基準にして、同一画像をモニタ上に表示して比較し、双方がマッチするように主観的に調整する方法を挙げることができる。
【０００４】
【発明が解決しようとする課題】
しかしながら、前記（１）の従来方法は、正確な調整は可能であるが、高価な測定装置や専門知識が必要となり、一般利用者が行うにはコストや作業負荷等において負担が大き過ぎるという問題がある。
【０００５】
又、前記（２）、（３）の方法は、比較的簡易に行えるが、主観に頼ることになるため、個人によるバラツキが大きく、定量的な調整は難しいという問題がある。
【０００６】
本発明は、前記従来の問題点を解決するべくなされたもので、高価な測定装置や専門知識を必要とせず、しかも客観的な色調整を簡単に且つ正確に行うことができるモニタ調整方法を提供することを課題とする。
【０００７】
【課題を解決するための手段】
本発明、ホワイトバランスを調整してある基準モニタを用意し、該基準モニタにＲ、Ｇ及びＢの各原色を黒に隣接させて表示し、各原色を単位に黒との境界線が判別できない最大画素値をそれぞれ基準バランス値に決定すると共に、調整対象モニタに、前記基準バランス値に設定した各原色を黒に隣接させて表示し、各原色を単位に黒との境界線が判別できない最大輝度レベルに該モニタの各原色の輝度をそれぞれ調整することにより、前記課題を解決したものである。
【０００８】
ここに、本発明のモニタ調整方法の基本原理を説明する。便宜上Ｒの調整を例にとると、図１及び図２に、ｘ軸をＲの入力信号、ｙ軸を輝度として両者の関係を示したように、０（原点）のポイントを変えずに、最大の輝度値ＬがＬ′になるようにＲ輝度を下げると、グラフの傾きが図１から図２のように変化する。その結果、入力信号値が低いために背景の黒と区別できなくなる、即ち、Ｒの色が見えなくなる図１のポイントａが、図２のポイントｂへと変化することになる。
【０００９】
本発明は、この現象を利用し、図１が正常な状態を表わしているとすれば、Ｒが黒と区別できなくなるポイントａを基準ポイント（基準バランス値）として設定し、このポイントが維持されるようにすることにより、Ｒの輝度を調整するようにしている。Ｇ、Ｂについても同様に調整する。
【００１０】
【発明の実施の形態】
以下、図面を参照して、本発明の実施の形態について詳細に説明する。
【００１１】
図３は、本発明に係る第１実施形態のモニタ調整方法の操作手順の概略を示したフローチャートであり、図４は、本実施形態に適用する調整用のカラーチャートを概念的に示した説明図である。
【００１２】
本実施形態では、ホワイトバランスを調整してある基準モニタ（図示せず）を用意する。この基準モニタは、例えば測定装置を用いてモニタに表示したカラーチャートを実際に測色することにより、予め正確なホワイトバランスに調整したものである。
【００１３】
なお、この基準モニタの調整、後述する基準バランス値の決定や対象モニタの調整の際には、周囲の明るさ等により、色（カラーチャート）の見え方が違ってくるため、一定の環境（暗室を使用するか又はモニタフード装着する等）において行う。
【００１４】
先ず、上記基準モニタにＲ、Ｇ及びＢの各原色を黒に隣接させて作成した調整用チャートを表示し、各原色を単位に黒との境界線が判別できない最大画素値をそれぞれ基準バランス値Ｒ0 、Ｇ0 及びＢ0 として決定する（ステップ１１）。
【００１５】
その際の具体的な処理を以下に説明する。例えば、用意した基準モニタが色温度Ｄ６５に調整されている場合、そのモニタ上に図４に示したように、Ｂk （黒：Ｒ＝Ｇ＝Ｂ＝０）と、Ｒ、Ｇ及びＢの各原色を隣接させたカラーチャートを表示する。その際、Ｒ輝度：Ｇ輝度：Ｂ輝度＝０：０：０〜１：１：１（相対値）の範囲で、Ｒ、Ｇ、Ｂの各階調値が０〜２５５の８ｂｉｔで表わされるとして、基準バランス値を階調値（画素値）で設定する。その設定の際には、アプリケーションソフト又は特定のプログラムを用いて、各原色の輝度の値を連続的に増減させ、Ｂk とＲ、Ｇ及びＢの各原色との境界線が判別できないポイントを各色の基準ポイント（基準バランス値）として決定する。
【００１６】
ここでは、決定された各基準バランス値Ｒ0 、Ｇ0 、Ｂ0 が、（Ｒ，Ｇ，Ｂ）画素値表現で、Ｒ0 ＝（２０，０，０）、Ｇ0 ＝（０，１６，０）、Ｂ0 ＝（０，０，３２）であるとする。
【００１７】
以上のようにＲ、Ｇ、Ｂの各基準ポイントが決定された後、調整対象モニタに、前記基準バランス値に階調値を設定したＲ、Ｇ及びＢの各原色を黒に隣接させた調整用チャートを表示し（ステップ１２）、各原色を単位に黒との境界線が判別できない最大輝度レベルに、該モニタのＲ、Ｇ及びＢの各輝度を調整用ボリュームによりそれぞれ調整し、基準ポイントを合せる（ステップ１３）。
【００１８】
この調整の際には、調整対象モニタに基準ポイントの階調値に設定された前記図４のチャート（又は、図４のチャートに相当するＲ、Ｇ、Ｂ３色分のチャート）を表示し、Ｒ、Ｇ、Ｂそれぞれの輝度をモニタ本体の調整ボリュームを使って変化させ、Ｂk とＲ0 、Ｇ0 及びＢ0 の各原色チャートとの境界が判別できない最大輝度レベルにＲ、Ｇ、Ｂの各輝度をそれぞれ個別に調整する（但し、Ｒ、Ｇ、Ｂの調整は順不同）。
【００１９】
以上詳述した如く、本実施形態は、調整対象モニタのホワイトバランスを、基準モニタのホワイトバランスと同一となるように、調整用チャートの目視評価により、測定装置を使わずに、簡易且つ定量的に調整できるようにしたものである。
【００２０】
本実施形態によれば、Ｒ、Ｇ、Ｂの基準バランス値を予め設定し、目視評価によりその基準値にＲ、Ｇ、Ｂの各輝度レベルを合わせることにより、簡易且つ定量的にモニタのホワイトバランスを一定のレベルに調整することができる。従って、高価な測定装置や専門知識を必要とせず、しかも客観的な色調整を簡単に且つ正確に行うことができる。
【００２１】
又、本実施形態によれば、基準モニタを用いて基準バランス値を決定しておくことにより、電光変換特性（ガンマ特性）が基本的には同一の同機種のモニタも容易に調整することができる。
【００２２】
又、本実施形態は、インターネットやＣＤ−ＲＯＭで正確な色を見たいといった一般利用者や、コンテンツ制作現場における簡易的なモニタ調整に利用することができる。
【００２３】
次に、本発明に係る第２実施形態について説明する。
【００２４】
本実施形態は、基準バランス値を決定する際、Ｒ、Ｇ及びＢの各原色を、画素値が段階的に増加する複数のチャートとして、それぞれ黒に隣接させて表示し、黒との境界線が判別できないチャートの最大画素値を基準バランス値に選択するようにした以外は、前記第１実施形態と実質的に同一である。従って、操作手順も前記図３のフローチャートで表わすことができる。
【００２５】
即ち、同様に色温度Ｄ６５に調整された基準モニタを使用する場合、そのモニタ上に図５に示すようなＢk （黒）と階調値が段階的に増加すると複数のＲ1 〜Ｒn のチャートを隣接させた調整用チャートを表示する。この調整用チャートは、仮にＲ1 の画素値を（Ｒ，Ｇ，Ｂ）＝（１０，０，０）として、Ｒの階調値を、例えば５ステップずつ増加させてＲn まで作成する。
【００２６】
このように階調値が段階的に増加するようにしたチャート上のＲ1 〜Ｒn の中で、Ｂk との境界線が判別できないＲの最大階調値（画素値）を選択して基準バランス値Ｒ0 と決定する。同様の操作により、Ｇ、Ｂについても最大画素値を選択して基準バランス値Ｇ0 、Ｂ0 を決定する。
【００２７】
Ｒ、Ｇ、Ｂの各基準バランス値を決定した後に行うモニタ調整は、前記第１実施形態と同様に行う。
【００２８】
次に本発明に係る第３実施形態について説明する。
【００２９】
本実施形態は、図６にフローチャートを示したように、前記第２実施形態において選択された最大画素値のチャートと１段上のチャートとの間に、更に細い画素値に分割して設定した１以上のチャートを、それぞれ黒に隣接させて表示し、黒との境界線が判別できないチャートの最大画素値を更に上の精度の基準バランス値として選択し、必要に応じて同様の操作を繰り返す（ステップ２２）ようにした以外は、実質的に同実施形態と同一である。図６のフローチャートは、ステップ２２以外は前記図３と同様である。
【００３０】
即ち、前記第２実施形態と同様の方法で基準バランス値を設定し、設定した基準バランス値とそれより１つ上の値の間を更に細かい値に分けて設定を繰り返し行う。
【００３１】
例えば、前記図５に示したチャートでＲ2 を基準ポイントと設定したとすると、このＲ2 とその１つ上のＲ3 の間は５ステップ（階調値）となっているので、本実施形態では、図７に示すようにＲ01の輝度値をＲ2 の階調値である（Ｒ，Ｇ，Ｂ）＝（１５，０，０）として、Ｒ02＝（１６，０，０）、Ｒ03＝（１７，０，０）、・・・のように、Ｒ0nまでＲの階調値を１ステップずつ増加させたチャートを表示し、これらＲ01〜Ｒ0nのチャートの中で、前記第２実施形態と同様に境界判別不能の最大輝度値のチャートを選択し、その値を第２の基準バランス値に設定する。同様の操作をＧ、Ｂについても行う。
【００３２】
なお、ここでは、Ｒ2 とＲ3 の間は５階調値した離れていないため、１回の細分化の例としたが、もっと粗い階調値での細分化とし、必要があれば、同様の操作を更に細分化したチャートを用いて設定を繰り返し行うようにしてもよい。
【００３３】
本実施形態によれば、このようにステップ幅を細かくして設定を繰り返すことにより、基準ポイントの精度を向上させることができる。
【００３４】
以上の基準バランス値の決定の後に行うモニタ調整は、前記第１実施形態と同様に行う。
【００３５】
次に、本発明に係る第４実施形態について説明する。
【００３６】
本実施形態は、前記第３実施形態で基準バランス値を決定した後、前記対象モニタを調整する際、該モニタにＲ、Ｇ及びＢの各原色を前記基準バランス値Ｒ0 、Ｇ0 及びＢ0 を中心として画素値を段階的に変化させた複数のチャートとして、それぞれ黒に隣接させて表示し、該モニタの各原色の輝度をそれぞれ連続的に増減させ、黒との境界線が、基準バランス値が設定されている基準チャートでは判別できず、該基準チャートより１段上の第１比較チャートでは判別できる第１の輝度レベルにそれぞれ調整するようにしたものである。操作手順の基本的な流れは、前記図６のフローチャートと同様である。
【００３７】
即ち、前記第３実施形態と同様の方法で基準バランス値を決定した後、モニタを調整する際には、図８に示したようなＢk と基準バランス値Ｒ0 を中心として、階調値を段階的に変化させた複数のＲのチャートを隣接させた調整用チャートを調整対象モニタに表示して調整を行う。
【００３８】
例えば、決定された基準バランス値がＲ0 ＝（２０，０，０）である場合、この値に設定された基準チャートを中心にＲ-1、Ｒ-2、・・・Ｒ-nの方向へ、Ｒ-1＝（１５，０，０）、Ｒ-2＝（１０，０，０）・・・とＲ階調値を５ステップずつ減少させ、Ｒ+1、Ｒ+2、・・・Ｒ+nの方向へも、Ｒ+1＝（２５，０，０）、Ｒ+2＝（３０，０，０）・・・とＲ階調値を同じく５ステップずつ増加させたチャートを調整対象モニタに表示し、調整用ボリュームを用いてＢk とＲ0 の境界が判別できず、Ｒ0 より１段上のＲ1 （第１比較チャート）との境界が判別できる第１の輝度レベルにＲ輝度を調整する。Ｇ、Ｂについても、それぞれの基準値Ｇ0 ＝（０，１６，０）、Ｂ0 ＝（０，０，３２）を中心としたチャートを表示し、同様に調整を行う（但し、Ｒ、Ｇ、Ｂの調整は順不同）。
【００３９】
なお、本実施形態では、基準バランス値の設定を、前記第１又は第２実施形態と同様の方法で行ってもよい。
【００４０】
次に、本発明に係る第５実施形態について説明する。
【００４１】
本実施形態は、調整対象モニタを前記第４実施形態の方法で前記第１の輝度レベルに調整した後、前記基準チャートと前記第１比較チャートとの間に、更に細かい段階の画素値に分割して設定した１以上のチャートを黒に隣接させて表示し、該モニタのＲ、Ｇ及びＢの各輝度をそれぞれ連続的に増減させ、黒との境界線が、基準バランス値が設定されている基準チャートでは判別できず、該基準チャートより１段上の第２比較チャートでは判別できる第２の輝度レベルにそれぞれ調整し、必要に応じて同様の操作を繰り返すようにしたものである。従って、操作手順は、図９のフローチャートで表わすことができ、ステップ３４を１回以上繰り返すことに当る。
【００４２】
即ち、前記第４実施形態の方法で調整対象モニタの輝度を調整すると共に、前記図９に示した調整用チャートのＲ0 とＲ+1の間を更に細かい値に分けて、調整を繰り返し行う。
【００４３】
例えば、前記図８に示したチャートでは、Ｒ0 ＝（２０，０，０）とその１つ上のＲ+1＝（２５，０，０）の間の階調値は５ステップとなっているので、図１０に示したように、次の段階ではＲ01＝（２０，０，０）からＲ01+1，Ｒ01+2、・・・、Ｒ01+nの方向へＲ01+1＝（２２，０，０）、Ｒ01+2＝（２４，０，０）・・・のように、Ｒ階調値を２ステップずつ増加させたチャートを調整用モニタに表示し、Ｂk とＲ01の境界が判別できず、Ｒ01（基準チャート）より１ステップ上のＲ01+1（第２基準チャート）との境界が判別できる第２の輝度レベルにＲ輝度を調整する。
【００４４】
そして、更に必要がある場合には、その次の段階ではＲ02＝（２０，０，０）からＲ02+1、Ｒ02+2、・・・Ｒ02+nの方向へＲ02+1＝（２１，０，０）、Ｒ02+2＝（２２，０，０）、・・・のように、Ｒ階調値を１ステップずつ増加させたチャートを調整用モニタに表示し、Ｂk とＲ02の境界が判別できず、Ｒ02より１ステップ上のＲ02+1との境界が判別できる第３の輝度レベルにＲ輝度を調整する。
【００４５】
Ｇ、Ｂについても同様に、基準バランス値Ｇ0 、Ｂ0 を中心としたチャートを調整用モニタに表示し、調整を繰り返し行う。
【００４６】
本実施形態によれば、このようにステップ幅を細かくして、要求される調整精度やモニタの階調表現性能等に応じて、階層的にチャートを用意し、調整を繰り返すことにより、段階的に精度の高い調整を行うことができる。
【００４７】
以上、本発明について具体的に説明したが、本発明は、前記実施形態に示したものに限られるものでなく、その要旨を逸脱しない範囲で種々変更可能である。
【００４８】
例えば、前記実施形態では、各原色を８ｂｉｔの階調値で表わす場合を示したが、これに限定されない。
【００４９】
【発明の効果】
以上説明したとおり、本発明によれば、高価な測定装置や専門知識を必要とせず、しかも客観的な色調整を簡単に且つ正確に行うことができる。
【図面の簡単な説明】
【図１】本発明の原理を説明するための線図
【図２】本発明の原理を説明するための他の線図
【図３】第１実施形態の操作手順の概略を示すフローチャート
【図４】第１実施形態に適用する調整用チャートを示す説明図
【図５】第２実施形態に適用する調整用チャートを示す説明図
【図６】第３実施形態の操作手順の概略を示すフローチャート
【図７】第３実施形態に適用する調整用チャートを示す説明図
【図８】第４実施形態に適用する調整用チャートを示す説明図
【図９】第５実施形態の操作手順の概略を示すフローチャート
【図１０】第５実施形態に適用する調整用チャートを示す説明図
【図１】
0003908849.tif 000002
【図２】
0003908849.tif 000003
【図３】
0003908849.tif 000004
【図４】
0003908849.tif 000005
【図５】
0003908849.tif 000006
【図６】
0003908849.tif 000007
【図７】
0003908849.tif 000008
【図８】
0003908849.tif 000009
【図９】
0003908849.tif 000010
【図１０】
0003908849.tif 000011